(57)【要約】【課題】新たな映像ソースが追加された場合に、プログラムの修正が少なくなるように映像編集用プログラムおよび視聴用プログラムを構成することを課題とする。【解決手段】編集用プログラム１００において、変換モジュール１１１ａ〜１１１ｃは、各種フォーマットの映像データを共通フォーマットデータＣＤに変換する。データＣＤは、配信モジュール１１２よりＬＡＮ５に対して配信される。受信モジュール１１３は、ＬＡＮ５よりデータＣＤを受信する。表示モジュール１１４は、データＣＤをディスプレイ１８に出力する。一方、視聴用プログラム２００の受信モジュール２１１も同様に、ＬＡＮ５よりデータＣＤを受信する。表示モジュール２１１は、データＣＤをディスプレイ２８に出力する。【選択図】        図２
2005020281.tif 000002
【特許請求の範囲】
【請求項１】
複数種類のフォーマットの映像データを取り込み可能であり、取り込んだ映像データをディスプレイに表示させる映像処理プログラムであって、前記映像処理プログラムは第１のコンピュータにインストールされることにより、前記第１のコンピュータを、
各種フォーマットの映像データを、共通フォーマットの映像データに変換する映像データ変換手段、
前記共通フォーマットの映像データをネットワークに配信する配信手段、
前記ネットワークに配信された前記共通フォーマットの映像データを受信する第１の受信手段、
受信した前記共通フォーマットの映像データを前記第１のコンピュータのディスプレイに表示させる第１の表示手段、として動作させることを特徴とする映像処理プログラム。
【請求項２】
請求項１に記載の前記配信手段が前記ネットワークに配信した前記共通フォーマットの映像データを表示する映像表示プログラムであって、前記映像表示プログラムは、前記第１のコンピュータと前記ネットワークを介して接続された第２のコンピュータにインストールされることにより、前記第２のコンピュータを、
前記ネットワークに配信された前記共通フォーマットの映像データを受信する第２の受信手段、
受信した前記共通フォーマットの映像データを前記第２のコンピュータのディスプレイに表示させる第２の表示手段、として動作させることを特徴とする映像表示プログラム。
【請求項３】
請求項１に記載の映像処理プログラムであって、
前記第１のコンピュータを前記第１の表示手段として動作させるプログラムモジュールは、請求項２に記載の前記第２のコンピュータを前記第２の表示手段として動作させるプログラムモジュールと共通のプログラムモジュールであることを特徴とする映像処理プログラム。
【請求項４】
請求項２に記載の映像表示プログラムであって、
前記第２のコンピュータを前記第２の表示手段として動作させるプログラムモジュールは、請求項１に記載の前記第１のコンピュータを前記第１の表示手段として動作させるプログラムモジュールと共通のプログラムモジュールであることを特徴とする映像表示プログラム。
【請求項５】
請求項１に記載の映像処理プログラムであって、
前記第１のコンピュータを前記第１の受信手段および前記第１の表示手段として動作させるプログラムモジュールは、請求項２に記載の前記第２のコンピュータを第２の受信手段および前記第２の表示手段として動作させるプログラムモジュールと共通のプログラムモジュールであることを特徴とする映像処理プログラム。
【請求項６】
請求項２に記載の映像表示プログラムであって、
前記第２のコンピュータを前記第２の受信手段および前記第２の表示手段として動作させるプログラムモジュールは、請求項１に記載の前記第１のコンピュータを第１の受信手段および前記第１の表示手段として動作させるプログラムモジュールと共通のプログラムモジュールであることを特徴とする映像表示プログラム。
【発明の詳細な説明】
【０００１】
【発明の属する技術分野】
本発明は、映像処理および表示用のプログラムに関する。
【０００２】
【従来の技術】
映像やテキスト文章、グラフ、静止画像を編集して様々なコンテンツを製作するためのソフトウェアプログラムが存在する。たとえば、このプログラムを使って、商品説明用カタログを製作したり、社内研修用コンテンツを製作したりすることが可能である。
【０００３】
また、このような編集用プログラムを用いて製作されたコンテンツを視聴するためのプログラムが必要である。編集用プログラムで製作されたコンテンツは、たとえば、ファイルとしてネットワーク上のフォルダに蓄積される。コンテンツを視聴する人は、視聴用プログラムを用いて、フォルダに蓄積されたコンテンツにアクセスする。あるいは、編集用プログラムで製作されたコンテンツがリアルタイムで配信され、配信されるコンテンツを視聴用プログラムを用いて視聴するなどの方法がとられている。
【０００４】
【発明が解決しようとする課題】
図６は、従来の編集用プログラムと視聴用プログラムのモジュール構成を示す図である。編集用プログラム３００は、パーソナルコンピュータ（以下、ＰＣと略す。）３０にインストールされており、視聴用プログラム４００は、ＰＣ４０にインストールされている。ＰＣ３０，４０は、ともにネットワーク接続機能を備え、ＬＡＮ（ｌｏｃａｌ  ａｒｅａ  ｎｅｔｗｏｒｋ）５０に接続されており、互いに通信可能としている。
【０００５】
編集用プログラム３００は、複数のモジュールから構成されている。図に示すように、編集用プログラム３００は、ＵＳＢカメラ映像取得モジュール３１１ａ、キャプチャボックス映像取得モジュール３１１ｂ、ファイル映像取得モジュール３１１ｃ、配信モジュール３１２、ＵＳＢカメラ映像表示モジュール３１４ａ、キャプチャボックス映像表示モジュール３１４ｂ、ファイル映像表示モジュール３１４ｃ等から構成される。
【０００６】
また、ＰＣ３０には、映像を撮像するための外部機器として、ＵＳＢカメラ３６ａおよびビデオカメラ３６ｂが接続されている。ＵＳＢカメラ３６ａは、ＵＳＢポートを介してＰＣ３０との間でデータ転送を可能としている。ビデオカメラ３６ｂは、ビデオキャプチャボックス３９等を介してＰＣ３０との間でデータ転送可能としている。
【０００７】
ＵＳＢカメラ映像取得モジュール３１１ａは、ＵＳＢカメラ３６ａから取得した映像データを取り込み、編集プログラム３００による編集作業を可能とするための必要なデータ変換を行うプログラムモジュールであり、キャプチャボックス映像取得モジュール３１１ｂは、ビデオキャプチャボックス３９を経由した映像を取り込み、編集プログラム３００による編集作業を可能とするための必要なデータ変換を行うモジュールである。さらに、ＰＣ３０内のハードディスク等に格納されたビデオファイル３０２を編集プログラム３００による編集作業を可能とするための必要なデータ変換を行うモジュールとしてファイル映像取得モジュール３１１ｃが動作する。
【０００８】
このように、様々なフォーマットの映像ソースを利用するために、複数種類の映像取得モジュール３１１ａ，３１１ｂ，３１１ｃが用意されている。そして、たとえば、新たな規格のカメラ映像を映像ソースとして追加する場合や、新たなフォーマットの映像ソースを追加する場合には、その機器やフォーマットに応じた映像取得モジュールを追加する必要がある。
【０００９】
編集用プログラムを操作して編集作業を行う際、編集者は取得した映像をモニタ３８に表示させて参照する必要がある。このため、編集用プログラム３００は、各フォーマットの映像ソースに対応した表示モジュールを備えている。ＵＳＢカメラ映像取得モジュール３１１ａから取り込んだ映像を表示させるＵＳＢカメラ映像表示モジュール３１４ａ、キャプチャボックス映像取得モジュール３１１ｂから取り込んだ映像を表示させるキャプチャボックス映像表示モジュール３１４ｂ、ファイル映像取得モジュール３１１ｃが取り込んだ映像を表示させるファイル映像表示モジュール３１４ｃを備えている。
【００１０】
したがって、前述したように、新たなフォーマットの映像ソースに対応して映像取得モジュールが追加された場合には、それに応じて映像表示モジュールも追加する必要があった。
【００１１】
一方、視聴用プログラム４００は、受信モジュール４１１、ＵＳＢカメラ映像表示モジュール４１２ａ、キャプチャボックス映像表示モジュール４１２ｂ、ファイル映像表示モジュール４１２ｃとを含んでいる。
【００１２】
編集用プログラム３００は、各映像取得モジュール３１１ａ〜３１１ｃを実行させることにより、各種フォーマットの映像データを取得する。さらに、配信モジュール３１２を実行させることにより、各種フォーマットの映像データ（あるいは、これら映像データを含むマルチメディアコンテンツ）をＬＡＮ５０を介してＰＣ４０に送信する。
【００１３】
視聴用プログラム４００は、受信モジュール４１１を実行させることにより、ＰＣ３０より送信された各種フォーマットの映像データ（あるいは、これら映像データを含むマルチメディアコンテンツ）を受信する。そして、各フォーマットに対応した表示モジュールを実行させてモニタ４８に映像を表示させるのである。
【００１４】
ＵＳＢカメラ取得モジュール３１１ａより取得した映像データを受信した場合には、ＵＳＢカメラ映像表示モジュール４１２ａにより映像を表示させる。キャプチャボックス映像取得モジュール３１１ｂより取得した映像データを受信した場合には、キャプチャボックス映像表示モジュール４１２ｂにより映像を表示させ、ファイル映像取得モジュール３１１ｃより取得した映像データを受信した場合には、ファイル映像表示モジュール４１２ｃにより映像を表示させる。
【００１５】
このようなモジュール構成となっているため、新たなフォーマットの映像ソースが追加され、これに対応して編集用プログラム３００に新たな映像取得モジュールが追加された場合には、これに応じて視聴用プログラム４００にも表示モジュールを追加しなければならなかった。
【００１６】
以上説明したように、従来の編集用プログラムと視聴用プログラムのモジュール構成では、新たなフォーマットの映像ソースを追加するためには、編集用、視聴用双方のプログラムに必要な修正が多かった。これは、プログラムの開発コストを高くする要因でもあり、また、プログラムの汎用性を低くする要因ともなっていた。
【００１７】
そこで、本発明は前記問題点に鑑み、新たな映像ソースが追加された場合にも、プログラムの修正、追加が少なくなるように映像編集用プログラムおよび視聴用プログラムを構成することを目的とする。
【００１８】
【課題を解決するための手段】
上記課題を解決するため、請求項１記載の発明は、複数種類のフォーマットの映像データを取り込み可能であり、取り込んだ映像データをディスプレイに表示させる映像処理プログラムであって、前記映像処理プログラムは第１のコンピュータにインストールされることにより、前記第１のコンピュータを、各種フォーマットの映像データを、共通フォーマットの映像データに変換する映像データ変換手段、前記共通フォーマットの映像データをネットワークに配信する配信手段、前記ネットワークに配信された前記共通フォーマットの映像データを受信する第１の受信手段、受信した前記共通フォーマットの映像データを前記第１のコンピュータのディスプレイに表示させる第１の表示手段、として動作させることを特徴とする。
【００１９】
請求項２記載の発明は、請求項１に記載の前記配信手段が前記ネットワークに配信した前記共通フォーマットの映像データを表示する映像表示プログラムであって、前記映像表示プログラムは、前記第１のコンピュータと前記ネットワークを介して接続された第２のコンピュータにインストールされることにより、前記第２のコンピュータを、前記ネットワークに配信された前記共通フォーマットの映像データを受信する第２の受信手段、受信した前記共通フォーマットの映像データを前記第２のコンピュータのディスプレイに表示させる第２の表示手段、として動作させることを特徴とする。
【００２０】
請求項３記載の発明は、請求項１に記載の映像処理プログラムであって、前記第１のコンピュータを前記第１の表示手段として動作させるプログラムモジュールは、請求項２に記載の前記第２のコンピュータを前記第２の表示手段として動作させるプログラムモジュールと共通のプログラムモジュールであることを特徴とする。
【００２１】
請求項４記載の発明は、請求項２に記載の映像表示プログラムであって、前記第２のコンピュータを前記第２の表示手段として動作させるプログラムモジュールは、請求項１に記載の前記第１のコンピュータを前記第１の表示手段として動作させるプログラムモジュールと共通のプログラムモジュールであることを特徴とする。
【００２２】
請求項５記載の発明は、請求項１に記載の映像処理プログラムであって、前記第１のコンピュータを前記第１の受信手段および前記第１の表示手段として動作させるプログラムモジュールは、請求項２に記載の前記第２のコンピュータを第２の受信手段および前記第２の表示手段として動作させるプログラムモジュールと共通のプログラムモジュールであることを特徴とする。
【００２３】
請求項６記載の発明は、請求項２に記載の映像表示プログラムであって、前記第２のコンピュータを前記第２の受信手段および前記第２の表示手段として動作させるプログラムモジュールは、請求項１に記載の前記第１のコンピュータを第１の受信手段および前記第１の表示手段として動作させるプログラムモジュールと共通のプログラムモジュールであることを特徴とする。
【００２４】
【発明の実施の形態】
以下、図面を参照しつつ本発明の実施の形態について説明する。図１は、本発明の実施の形態にかかる編集用プログラム１００がインストールされたＰＣ１０および視聴用プログラム２００がインストールされたＰＣ２０の機能ブロック図である。
【００２５】
ＰＣ１０は、ＣＰＵ１１、メモリ１２等のハードウェア資源を利用してハードディスク１３に格納されている編集用プログラム１００を実行する。ＰＣ１０は、ネットワークインタフェースとしてのネットワークカード（ＮＣ）１４を備え、ＬＡＮ５に接続して通信可能としている。また、ＰＣ１０には、インタフェース１５を介して各種のカメラ１６が接続され、ビデオカード１７を介してディスプレイ１８が接続されている。
【００２６】
ＰＣ２０は、ＣＰＵ２１、メモリ２２等のハードウェア資源を利用してハードディスク２３に格納されている視聴用プログラム２００を実行する。ＰＣ２０は、ネットワークインタフェースとしてのネットワークカード（ＮＣ）２４を備え、ＬＡＮ５に接続して通信可能としている。また、ＰＣ２０には、ビデオカード２７を介してディスプレイ２８が接続されている。
【００２７】
本実施の形態の編集用プログラム１００を利用するユーザ（編集者）は、ＰＣ１０を操作してコンテンツデータ１０１を編集、製作する。そして、ＰＣ１０において編集、製作されたコンテンツデータ１０１は、ＰＣ２０のユーザ（視聴者）が視聴用プログラム２００を利用して視聴することができる。
【００２８】
ＰＣ１０のハードディスク１３には、ＰＣ１０において編集、製作されたコンテンツデータ１０１が格納される。コンテンツデータ１０１は、たとえば、プレゼンテーション用の資料データや、社内研修用データ、商品カタログデータ、教材データなどである。あるいは、ＰＣ１０で編集、製作される上記の各種データは、リアルタイムでＰＣ２０に送信される。ＰＣ２０では、リアルタイムでプレゼンテーションや社内研修の視聴が可能となる。
【００２９】
図２は、編集用プログラム１００および視聴用プログラム２００のモジュール構成を模式的に表した図である。また、ＰＣ１０に接続されるカメラ１６として、ＵＳＢカメラ１６ａ、ビデオカメラ１６ｂを図示している。ＵＳＢカメラ１６ａは、ＰＣ１０のＵＳＢポートを介してＰＣ１０に映像データを転送する。ビデオカメラ１６ｂは、ビデオキャプチャーボックス１９を介してＰＣ１０に映像データを転送する。図では、ビデオカメラ１６ｂは、ＰＣ１０の外部に接続されたビデオキャプチャーボックス１９に接続されている場合を例としているが、他にもビデオカメラがＰＣ１０に直接挿入されたキャプチャーボードを介して接続されている態様であってもよい。
【００３０】
編集用プログラム１００は、変換モジュール１１１ａ、変換モジュール１１１ｂ、変換モジュール１１１ｃ、配信モジュール１１２、受信モジュール１１３、表示モジュール１１４を含んでいる。この他にも、編集用プログラム１００は、映像データ、文字データ、静止画像データを加工、編集することや、グラフを作成するなどマルチメディアデータを操作するための各種のモジュールを備えている。
【００３１】
各変換モジュール１１１ａ〜１１１ｃは、それぞれ異なるフォーマットの映像ソースを、この編集用プログラム１００で編集可能なフォーマットに変換する機能を備えている。ここで、編集用プログラム１００が編集可能なフォーマットの映像データを共通フォーマットデータＣＤとすると、変換モジュール１１１ａは、ＵＳＢカメラ１６ａから取り込んだ映像データを共通フォーマットデータＣＤに変換する。変換モジュール１１１ｂは、ビデオキャプチャーボックス１９から取り込んだ映像データを共通フォーマットデータＣＤに変換する。変換モジュール１１１ｃは、ビデオファイル１０２として蓄積されている映像データを共通フォーマットデータＣＤに変換する。
【００３２】
配信モジュール１１２は、各変換モジュール１１１ａ〜１１１ｃによって変換された共通フォーマットデータＣＤを含むコンテンツデータ１０１をＬＡＮ５に対して送信する機能部である。また、編集用プログラム１００は、受信モジュール１１３を備えており、受信モジュール１１３は、配信モジュール１１２がＬＡＮ５に対して送信した共通フォーマットデータＣＤを含むコンテンツデータ１０１を受信する。
【００３３】
このように、本実施の形態において、編集用プログラム１００は、全ての映像データを共通フォーマットデータＣＤに変換する。さらに、共通フォーマットデータＣＤを一旦ネットワークに配信し、配信された共通フォーマットデータＣＤを受信モジュール１１３により受信することとしている。
【００３４】
表示モジュール１１４は、受信モジュール１１３が受信した共通フォーマットデータＣＤを含むコンテンツデータ１０１をディスプレイ１８に出力するためのモジュールである。ここで、表示モジュール１１４が受け取る映像データは、全て共通フォーマットデータＣＤであるので、映像データの様々なフォーマットに対応した処理モジュールを備える必要はない。
【００３５】
たとえば、別の規格のカメラ１６が追加されたりとする。この場合、追加されたカメラ１６が出力する映像データのフォーマットを共通フォーマットＣＤに変換する変換モジュール１１１ｄを追加すればよい。あるいは、異なるフォーマットの映像データであるビデオファイルが追加された場合には、追加された映像データのフォーマットを共通フォーマットＣＤに変換する変換モジュールを追加すればよい。そして、変換モジュールが追加された場合にも、受信モジュール１１３および表示モジュール１１４に修正は必要ない。
【００３６】
一方、視聴用プログラム２００は、受信モジュール２１１、表示モジュール２１２を含んでいる。
【００３７】
受信モジュール２１１は、編集用プログラム１００の配信モジュール１１２が送信した共通フォーマットデータＣＤを含むコンテンツデータ１０１を受信する。表示モジュール２１２は、受信モジュール２１１が受信した共通フォーマットデータＣＤを含むコンテンツデータ１０１をディスプレイ２８に出力する。ここで、表示モジュール２１２が受け取る映像データは、全て共通フォーマットデータＣＤであるので、映像データの様々なフォーマットに対応した処理モジュールを備える必要はない。
【００３８】
以上説明したように、本実施の形態における編集用プログラム１００は、異なるフォーマットの映像ソースが追加される場合には、図２に示す変換モジュール１１１ｄのような変換モジュールを追加するだけのプログラム修正を行えばよい。そして、変換モジュールが追加された場合にも、受信モジュール１１３および表示モジュール１１４に対するプログラム修正は必要ないので、プログラムの修正を最小限とすることができる。
【００３９】
また、本実施の形態における視聴用プログラム２００は、異なるフォーマットの映像ソースが追加される場合にも、受信モジュール２１１および表示モジュール２１２に対するプログラム修正は必要ない。したがって、視聴用プログラム２００側にプログラム修正の必要はない。これにより、視聴用プログラム２００は、汎用的なプログラムを利用することも可能である。たとえば、視聴用プログラム２００としてＷｅｂブラウザを利用することも可能である。
【００４０】
さらに、編集用プログラム１００および視聴用プログラム２００は、いずれもネットワーク経由で同じコンテンツデータ１０１を受信して、ディスプレイに表示させるので、モジュールの共通化を図ることが可能である。たとえば、表示モジュール１１４と表示モジュール２１２を共通のプログラムモジュールとすることができる。あるいは、受信モジュール１１３と表示モジュール１１４とからなるモジュール群と、受信モジュール２１１と表示モジュール２１２とからなるモジュール群とを共通のプログラムモジュールとすることができる。このように、編集用プログラム１００および視聴用プログラム２００において、共通のプログラムモジュールを利用することにより、大幅にプログラム開発コストを削減することが可能である。
【００４１】
図３および図４は、表示モジュール１１４と表示モジュール２１２とを共通のモジュールで構成した場合の画面イメージを示す図である。あるいは、受信モジュール１１３と表示モジュール１１４とからなるモジュール群と、受信モジュール２１１と表示モジュール２１２とからなるモジュール群とを共通のプログラムモジュールで構成した場合の画面イメージを示す図である。
【００４２】
図３は、編集用プログラム１００の出力画面である編集画面１２０である。編集画面１２０は、編集用の各種操作オブジェクトが表示されている編集操作エリア１２１と、視聴用画面イメージを表示したビューアエリア１２２とを含んでいる。ビューアエリア１２２に表示されている内容は、コンテンツデータ１０１により生成されたものである。図で示す例では、ビューアエリア１２２内の映像表示エリア１２２ａに映像が映し出されている。この映像は、共通フォーマットデータＣＤによる映像である。また、映像の右側には、商品説明用の文字データが表示されている。このように、編集用プログラム１００を用いて編集、製作されたコンテンツデータ１０１は、映像および文字、静止画像、グラフなどの多様な情報を用いて、プレゼンテーション等を行う場合や、社内研修、商品カタログなどの用途に利用される。
【００４３】
図４は、視聴用プログラム２００の出力画面である視聴用画面２２０を示している。視聴用画面２２０の内容は、コンテンツデータ１０１により生成されたものである。図で示す例では、視聴用画面２２０内の映像表示エリア２２０ａに映像が映し出されている。この映像は、共通フォーマットデータＣＤによる映像である。また、映像の右側には、商品説明用の文字データが表示されている。
【００４４】
図に示したように、視聴用画面２２０とビューアエリア１２２とは同じ出力画面である。これにより、プログラムモジュールの共通化が図られるばかりでなく、編集者は、実際の視聴用画面２２０と同じ出力イメージを参照しながら編集作業を行うことが可能となっている。
【００４５】
次に、本発明の別の実施の形態について説明する。図５（ａ）は、上述した実施の形態における配信モジュール１１２と受信モジュール１１３とのデータのやり取りを示す図である。上述したように、配信モジュール１１２は、共通フォーマットデータＣＤを含むコンテンツデータ１０１をＬＡＮ５に対して送信し、受信モジュール１１３は、このデータをネットワーク経由で受信するようにしている。
【００４６】
これに対して、図５（ｂ）は、本発明の別の実施の形態を示す図である。図に示すように、配信モジュール１１２は、共通フォーマットデータＣＤを含むコンテンツデータ１０１をＬＡＮ５に対して送信しない。配信モジュール１１２は、ネットワークを経由することなくＰＣ１０内の内部処理として、受信モジュール１１３に対してデータを受け渡すのである。このように、ネットワークを経由することなくプログラムモジュール間でデータの受渡しを行うことで、ＰＣ１０がＬＡＮ５に接続されていない環境下においても、コンテンツデータ１０１を参照することが可能である。
【００４７】
さらに、編集用プログラム１００にネットワーク接続を監視する機能を持たせるようにしてもよい。そして、ＰＣ１０がネットワークに接続されている場合には、配信モジュール１１２がコンテンツデータ１０１をＬＡＮ５に対して送信し、ＰＣ１０がネットワークに接続されていない場合には、配信モジュール１１２は、受信モジュール１１３に対して直接データを受け渡すようにする。このようにすれば、ネットワーク接続環境およびスタンドアローン環境いずれの場合であっても、視聴画面イメージを参照しながら編集作業を行うことが可能である。
【００４８】
【発明の効果】
以上説明したように、請求項１記載の発明は、映像処理プログラムに関するものであり、映像データを共通フォーマットに変換して一旦ネットワークに配信し、ネットワーク経由で共通フォーマットデータを受信するようにしたので、映像データのフォーマットの差異が吸収され、表示モジュールに影響を与えることはない。
【００４９】
請求項２記載の発明は、映像表示プログラムに関するものであり、映像処理プログラムにおいて共通フォーマットに変換された映像データをネットワーク経由で受信するようにしたので、映像データのフォーマットの差異が吸収され、表示モジュールに影響を与えることはない。
【００５０】
請求項３ないし請求項６のいずれかに記載の発明では、映像表示プログラムと映像処理プログラムを共通のプログラムモジュールで構成したので、開発コストを削減することが可能であり、また、プログラムのメンテナンス性が高い。
【図面の簡単な説明】
【図１】編集用プログラムがインストールされたＰＣおよび視聴用プログラムがインストールされたＰＣの機能ブロック図である。
【図２】編集用プログラムと視聴用プログラムのモジュール構成を示す図である。
【図３】編集用プログラムによってディスプレイに表示された編集画面を示す図である。
【図４】視聴用プログラムによってディスプレイに表示された視聴用画面を示す図である。
【図５】配信モジュールと受信モジュールにデータのやり取りに関する別の実施の形態を示す図である。
【図６】編集用プログラムと視聴用プログラムの従来のモジュール構成を示す図である。
【符号の説明】
１０      ＰＣ
１６ａ    ＵＳＢカメラ
１６ｂ    ビデオカメラ
１８      ディスプレイ
１９      ビデオキャプチャボックス
１００    編集用プログラム
１０２    ビデオファイル
１１１ａ〜１１１ｄ    変換モジュール
１１２    配信モジュール
１１３    受信モジュール
１１４    表示モジュール
２００    視聴用プログラム
２１１    受信モジュール
２１２    表示モジュール
【図１】
2005020281.tif 000003
【図２】
2005020281.tif 000004
【図３】
2005020281.tif 000005
【図４】
2005020281.tif 000006
【図５】
2005020281.tif 000007
【図６】
2005020281.tif 000008